(57)【要約】【課題】端子挿入工程を増やすことなく小型化できるコネクタを提供する。【解決手段】コネクタハウジング２内には上壁部３ａ、下壁部３ｂ，４ｂ，１１ｂ，１２ｂ、側壁部３ｃ，４ｃ， １１ｃ，１２ｃで仕切られた複数の端子収容室３，４が配置され、端子収容室３，４に端子２０が挿入されるとランス１３，１４が端子収容室３，４から退出する方向に撓み変形し、端子２０が正規の収容位置まで挿入されるとランス１３，１４が撓み復帰変形して端子２０に係止するコネクタ１であって、各ランス１３，１４は、各端子収容室３，４の同じ面側である下壁部１１ｂ，１２ｂに支持され、各ランス１３，１４が支持された下壁部１１ｂ，１２ｂで、且つ、ランス１３，１４の撓み変形軌跡に対応する箇所には、切欠部１５が設けられている。【選択図】図３
2013187126.tif 000002
【特許請求の範囲】
【請求項１】
コネクタハウジング内には壁部で仕切られた複数の端子収容室が配置され、前記壁部に支持され、前記各端子収容室に突出するランスがそれぞれ設けられ、前記端子収容室に端子が挿入されると前記ランスが前記端子収容室から退出する方向に撓み変形し、前記端子が正規の収容位置まで挿入されると前記ランスが撓み復帰変形して前記端子に係止するコネクタであって、
前記各ランスは、前記各端子収容室の同じ面側の前記壁部に支持され、前記各ランスが支持された前記壁部で、且つ、前記ランスの撓み変形軌跡に対応する箇所には、切欠部が設けられていることを特徴とするコネクタ。
【請求項２】
請求項１記載のコネクタであって、
前記コネクタハウジングには、複数段の前記端子収容室が設けられ、隣り合う各段の端子収容室は、シフトして配置されていることを特徴とするコネクタ。
【請求項３】
請求項１又は請求項２記載のコネクタであって、
前記コネクタハウジングにはランス設置用開口部が設けられ、前記ランス設置用開口部に装着されたランスブロック体に前記ランスが設けられていることを特徴とするコネクタ。
【発明の詳細な説明】
【技術分野】
【０００１】
本発明は、複数の端子収容室を有し、各端子収容室に収容された端子をランスによって位置決めするコネクタに関する。
【背景技術】
【０００２】
この種のコネクタとして、例えば、特許文献１に開示されたものがある。このコネクタ５０は、図４に示すように、インナーとアウターが合体されたコネクタハウジング５１を有する。このコネクタハウジング５１には、上下２段に亘って複数の端子収容室５２，５３が水平方向に沿って設けられている。上下段の端子収容室５２，５３は、仕切壁５４によって仕切られている。この仕切壁５４には、上下段の各端子収容室５２，５３に対応する２つのランス５５，５６が設けられている。各ランス５５，５６は仕切壁５４に片持ち状態で支持されている。上段側のランス５５は、上段の端子収容室５２内に突出し、下段側のランス５６は、下段の端子収容室５３内に突出している。つまり、上段の端子収容室５２にはランス５５が下側に配置され、下段の端子収容室５３にはランス５６が上側に配置されている。
【０００３】
上記構成において、端子６０を端子収容室５２，５３に挿入すると、ランス５５，５６が端子収容室５２，５３から退出方向に撓み変形して端子６０の挿入が許容される。端子６０が正規の収容位置まで挿入されると、ランス５５，５６が撓み復帰変形して端子６０に係止される。端子６０は、ランス５５，５６によって挿入逆方向（端子抜き方向）への移動が阻止され、位置決めされる。
【０００４】
上記従来例においては、上段側のランス５５と下段側のランス５６は、背中合わせの状態で配置され、互いの撓み変形領域Ｓを共有している。これにより、上下２段の端子収容室５２，５３のピッチを狭くでき、コネクタ５０の小型化になっている。
【先行技術文献】
【特許文献】
【０００５】
【特許文献１】特開２０１１−７１０６１号公報
【発明の概要】
【発明が解決しようとする課題】
【０００６】
しかしながら、前記従来例では、上段の端子収容室５２ではランス５５が下面側に、下段の端子収容室５３ではランス５６が上面側にそれぞれ配置されている。そのため、上下段の端子収容室５２，５３では端子６０の向きを上下逆向きで挿入しなければならない。このように端子６０の挿入向きが全て同じでないと、端子挿入の自動機化に際して、端子挿入工数が増加することになる。
【０００７】
一方、端子６０の挿入向きを同じにすると、ランス５５，５６の撓み変形領域Ｓを共有化できないため、その分だけ端子収容室５２，５３の狭ピッチ化ができず、コネクタ５０が大型化することになる。
【０００８】
そこで、本発明は、前記した課題を解決すべくなされたものであり、端子挿入工程を増やすことなく小型化できるコネクタを提供することを目的とする。
【課題を解決するための手段】
【０００９】
本発明は、コネクタハウジング内には壁部で仕切られた複数の端子収容室が配置され、前記壁部に支持され、前記各端子収容室に突出するランスがそれぞれ設けられ、前記端子収容室に端子が挿入されると前記ランスが前記端子収容室から退出する方向に撓み変形し、前記端子が正規の収容位置まで挿入されると前記ランスが撓み復帰変形して前記端子に係止するコネクタであって、前記各ランスは、前記各端子収容室の同じ面側の前記壁部に支持され、前記各ランスが支持された前記壁部で、且つ、前記ランスの撓み変形軌跡に対応する箇所には、切欠部が設けられていることを特徴とするコネクタである。
【００１０】
前記コネクタハウジングには、複数段の前記端子収容室が設けられ、隣り合う各段の端子収容室は、シフトして配置されていることことが好ましい。
【００１１】
前記コネクタハウジングにはランス設置用開口部が設けられ、前記ランス設置用開口部に装着されたランスブロック体に前記ランスが設けられていることが好ましい。
【発明の効果】
【００１２】
本発明によれば、各端子収容室の同一方向の壁部にランスがそれぞれ支持されているため、端子の挿入方向が同一方向となり、端子挿入の自動機化に際して端子挿入工数が増加しない。各ランスの撓み変形領域を壁部の切欠部によって確保するため、ランスの撓み変形スペース確保のために、ランスと壁部との間にランスの撓み変形相当のクリアランスを確保する必要がないため、端子収容室を狭ピッチ化でき、コネクタの小型化を図ることができる。以上より、端子挿入工程を増やすことなくコネクタを小型化できる。
【図面の簡単な説明】
【００１３】
【図１】本発明の一実施形態を示し、コネクタの分解斜視図である。
【図２】本発明の一実施形態を示し、ランスブロック体の一部拡大斜視図である。
【図３】本発明の一実施形態を示し、ランスブロック体のランスの撓み変形を説明する断面図である。
【図４】従来例のコネクタの一部断面図である。
【発明を実施するための形態】
【００１４】
以下、本発明の一実施形態を図面に基づいて説明する。
【００１５】
図１〜図３は本発明の一実施形態を示す。図１〜図３に示すように、コネクタ１は、コネクタハウジング２とランスブロック体１０と複数の端子２０とを備えている。尚、図１では、端子２０が１つのみ表示され、他の端子は省略されている。
【００１６】
コネクタハウジング２には、上下２段で、且つ、水平方向に連続的に配置された複数の端子収容室３，４が設けられている。上下段の端子収容室３，４は、上壁部３ａと下壁部３ｂ，４ｂと左右の側壁部３ｃ，４ｃによって仕切られている。上段の端子収容室３の下壁部３ｂは、下段の端子収容室４の上壁部を兼用している。上下段の端子収容室３，４は、互いに１／２ピッチだけシフトして設けられている。
【００１７】
コネクタハウジング２には、ランス設置用開口部６が設けられている。ランス設置用開口部６によって、上下２段の端子収容室３，４の壁部３ｂ，４ｂ，３ｃ，４ｃが一部切り欠かれている。ランス設置用開口部６は、コネクタハウジング２の下面に開口している。
【００１８】
ランスブロック体１０は、コネクタハウジング２のランス設置用開口部６に装着されている。ランスブロック体１０は、コネクタハウジング２の装着状態では、上下２段の端子収容室３，４の切り欠かれた下壁部３ｂ、下壁部４ｂ、側壁部３ｃ、側壁部４ｃを補填する下壁部１１ｂ、側壁部１１ｃ、下壁部１２ｂ、側壁部１２ｃを有する。側壁部１１ｂは、下段の端子収容室４の上壁部を兼用している。
【００１９】
また、上下各段の端子収容室３，４の下壁部１１ｂ，１２ｂには、上下段の各端子収容室３，４に向かって突出するランス１３，１４が設けられている。各ランス１３，１４は、下壁部１１ｂ、１２ｂにそれぞれ片持ち状態で支持されている。つまり、上下段の端子収容室３，４には、ランス１３，１４が共に同じ下面側に配置されている。各ランス１３，１４が支持された下壁部１１ｂ，１２ｂで、且つ、ランス１３，１４の撓み変形軌跡に対応する箇所には、ランス１３，１４の撓み変形時の干渉を回避する切欠部１５がそれぞれ設けられている。具体的には、ランス１３，１４は、撓み変形によってその先端側が最も大きく変移するため、各ランス１３，１４の先端側に対応する箇所に切欠部１５が設けられている。下壁部１１ｂの切欠部１４の下方には、上下段の端子収容室３，４がシフト配置されているため、下段の端子収容室４の側壁部１２ｃの上端面が臨むように配置されている。上段側のランス１３は、側壁部１２ｃに当接することによってこれ以上の撓み変形が阻止される。つまり、側壁部１２ｃは、ランス１３の過大変形防止壁として機能する。
【００２０】
上記構成において、端子２０を端子収容室３，４に挿入すると、図３にて仮想線で示すように、ランス１３，１４が端子収容室３，４から退出方向に撓み変形して端子２０の挿入が許容される。ここで、ランス１３，１４は、図３の仮想線で示すように、下壁部１１ｂ，１２ｂの切欠部１４に入り込むことによって撓み変形する。
【００２１】
端子２０が正規の収容位置まで挿入されると、ランス１３，１４が撓み復帰変形して端子２０に係止される。端子２０は、ランス１３，１４によって挿入逆方向（端子抜き方向）への移動が阻止され、位置決めされる。
【００２２】
以上説明したように、各端子収容室３，４の同一方向の壁部、つまり、下壁部１１ｂ，１２ｂにランス１３，１４がそれぞれ支持されているため、上下段の端子収容室３，４において、端子２０の挿入方向が同一方向となる。従って、端子挿入の自動機化に際して端子挿入工数が増加しない。各ランス１３，１４の撓み変形領域を下壁部１１ｂ，１２ｂの切欠部１５によって確保するため、ランス１３，１４と下壁部１１ｂ，１２ｂの間にランス１３，１４の撓み変形相当のクリアランスを確保する必要がない。従って、端子収容室３，４を上下方向に狭ピッチ化でき、コネクタ１の小型化を図ることができる。以上より、端子挿入工程を増やすことなくコネクタ１を小型化できる。
【００２３】
コネクタハウジング２内には、上下２段の端子収容室３，４が配置され、上下２段の端子収容室３，４は、１／２ピッチだけシフトして配置されている。従って、下壁部１１ｂの切欠部１５の下方には下段の端子収容室４の側壁部１２ｃが配置されるため、側壁部１２ｃがランス１３の過大変位防止壁として機能する。これにより、ランス１３の過大変位を防止できる。
【００２４】
コネクタハウジング２にはランス設置用開口部６が設けられ、ランス設置用開口部６に装着されたランスブロック体１０にランス１３，１４が設けられている。コネクタハウジング２ではなくランスブロック体１０の下壁部１１ｂ、１２ｂに切欠部１５を設ければ良いため、射出成形等によって容易に切欠部１５を形成することができる。
【００２５】
前記実施形態では、コネクタハウジング２内には上下２段の端子収容室３，４が配置されているが、上下３段以上の端子収容室を配置するものでも本発明を同様に適用できる。
【００２６】
前記実施形態では、各ランス１３，１４は各端子収容室３，４の同じ面側である下壁部１１ｂ，１２ｂに設けられているが、各上壁部に設けても良いことはもちろんである。又、左右の側壁部１１ｃ，１２ｃに設けても良い。
【符号の説明】
【００２７】
１  コネクタ
２  コネクタハウジング
３，４  端子収容室
３ａ  上壁部（壁部）
３ｂ，４ｂ  下壁部（壁部）
３ｃ，４ｃ  側壁部（壁部）
１０  ランスブロック体
１１ｂ、１２ｂ  下壁部（壁部）
１１ｃ，１２ｃ  側壁部（壁部）
１３，１４  ランス
１５  切欠部
２０  端子
【図１】
2013187126.tif 000003
【図２】
2013187126.tif 000004
【図３】
2013187126.tif 000005
【図４】
2013187126.tif 000006